(57)【要約】【課題】テニスコートにおけるボールの視認性の低下を抑制すること。【解決手段】テニスコート用照明装置は、第１発光部と、第２発光部とを具備する。第１発光部は、所定のテニスコートに対応する水平面に光取出面を向けて配置される。第２発光部は、所定のテニスコート側へ臨むように光取出面を傾斜させて配置される。【選択図】図２
2018163803.tif 000002
【特許請求の範囲】
【請求項１】
所定のテニスコートに対応する水平面に光取出面を向けて配置される第１発光部と；
前記所定のテニスコート側へ臨むように光取出面を傾斜させて配置される第２発光部と；
を具備するテニスコート用照明装置。
【請求項２】
前記第２発光部は、第１発光部における前記所定のテニスコート側の一端部に配置される
請求項１に記載のテニスコート用照明装置。
【請求項３】
前記第１発光部は、前記所定のテニスコートに対応する色の光を放射する第１発光素子を有する
請求項１または請求項２に記載のテニスコート用照明装置。
【請求項４】
前記第２発光部は、緑色の光を放射する第２発光素子を有する
請求項１〜３のいずれか１項に記載のテニスコート用照明装置。
【請求項５】
所定の光を放射する第１発光素子及び緑色の光を放射する第２発光素子を有する発光部；
を具備するテニスコート用照明装置。
【請求項６】
前記発光部は、所定のテニスコートに対応する水平面に光取出面を向けて配置される第１発光部と、前記所定のテニスコート側へ臨むように光取出面を傾斜させて配置される第２発光部とを有する
請求項５に記載のテニスコート用照明装置。
【請求項７】
前記第２発光素子は、ピーク波長が約５２０ｎｍである
請求項４〜６のいずれか１項に記載のテニスコート用照明装置。
【発明の詳細な説明】
【技術分野】
【０００１】
本発明の実施形態は、テニスコート用照明装置に関する。
【背景技術】
【０００２】
従来、種々のテニスコート用照明装置が提供されている。例えば、テニスコート用照明装置として、ＬＥＤ（Light  Emitting  Diode）を用いた照明装置が提供されている。
【先行技術文献】
【特許文献】
【０００３】
【特許文献１】特開２０１４−０８２０９０号公報
【発明の概要】
【発明が解決しようとする課題】
【０００４】
しかしながら、上述のような技術においては、一般的にテニスコート（以下、単に「コート」ともいう）に対応する水平面照度のみを主として基準に設計されていることが多く、コートに交差する面である鉛直面照度が充分に考慮されていない場合が多い。そのため、この様な場合には、コートに対応する水平面への光は確保されるが、コートに交差する鉛直面への光が十分確保できず、高く上がったボールの視認性が低下するといった課題がある。例えば、ＬＥＤのような指向性の光源を用いた場合、ＨＩＤ（high-Intensity  discharge）ランプ等の光源を用いた場合に比べてより顕著となる。
【０００５】
本発明は、テニスコートにおけるボールの視認性の低下を抑制することができるテニスコート用照明装置を提供することを目的とする。
【課題を解決するための手段】
【０００６】
本実施形態のテニスコート用照明装置は、第１発光部と、第２発光部とを具備する。第１発光部は、所定のテニスコートに対応する水平面に光取出面を向けて配置される。第２発光部は、所定のテニスコート側へ臨むように光取出面を傾斜させて配置される。
【発明の効果】
【０００７】
本発明によれば、テニスコートにおけるボールの視認性の低下を抑制することができる。
【図面の簡単な説明】
【０００８】
【図１】図１は、実施形態１に係るテニスコート用照明装置の概略を示す図である。
【図２】図２は、実施形態１に係るテニスコート用照明装置の概略を示す図である。
【図３】図３は、実施形態１に係るテニスコート用照明装置の設置の一例を示す図である。
【図４】図４は、実施形態１に係るテニスコート用照明装置の構成を示すブロック図である。
【図５】図５は、実施形態２に係るテニスコート用照明装置の概略を示す図である。
【図６】図６は、実施形態２に係るテニスコート用照明装置の概略を示す図である。
【図７】図７は、実施形態２に係るテニスコート用照明装置の設置の一例を示す図である。
【図８】図８は、実施形態２に係るテニスコート用照明装置の構成を示すブロック図である。
【図９】図９は、テニスボールの相対反射率の一例を示す図である。
【図１０】図１０は、テニスコートの相対反射率の一例を示す図である。
【図１１】図１１は、従来のテニスコート用照明装置の概略を示す図である。
【図１２】図１２は、従来のテニスコート用照明装置の概略を示す図である。
【発明を実施するための形態】
【０００９】
以下で説明する実施形態１に係るテニスコート用照明装置１００は、所定のテニスコートに対応する水平面に光取出面１１１を向けて配置される第１発光部１１０と、所定のテニスコート側へ臨むように光取出面１２１を傾斜させて配置される第２発光部１２０とを具備する。
【００１０】
また、以下で説明する実施形態１に係るテニスコート用照明装置１００において、第２発光部１２０は、第１発光部１１０における所定のテニスコート側の一端部１１２に配置される。
【００１１】
また、以下で説明する実施形態１に係るテニスコート用照明装置１００において、第１発光部１１０は、所定のテニスコートに対応する色の光を放射する第１発光素子１１を有する。
【００１２】
また、以下で説明する実施形態１に係るテニスコート用照明装置１００において、第２発光部１２０は、緑色の光を放射する第２発光素子１２を有する。
【００１３】
以下で説明する実施形態２に係るテニスコート用照明装置２００は、所定の光を放射する第１発光素子１１及び緑色の光を放射する第２発光素子１２を有する発光部２１０を具備する。
【００１４】
また、以下で説明する実施形態２に係るテニスコート用照明装置２００において、発光部２１０は、所定のテニスコートに対応する水平面に光取出面１１１を向けて配置される第１発光部１１０と、所定のテニスコート側へ臨むように光取出面１２１を傾斜させて配置される第２発光部１２０とを有する。
【００１５】
また、以下で説明する実施形態１、２に係るテニスコート用照明装置１００、２００において、第２発光素子１２は、ピーク波長が約５２０ｎｍである。
【００１６】
［実施形態１］
まず、本発明の実施形態１に係るテニスコート用照明装置１００を図面に基づいて説明する。図１及び図２は、実施形態１に係るテニスコート用照明装置の概略を示す図である。具体的には、図１は、光取出面１１１、１２１側からの平面視したテニスコート用照明装置１００を示す図である。また、具体的には、図２は、テニスコート用照明装置１００の側面図である。
【００１７】
例えば、テニスコート用照明装置１００は、図３に示すように、所定のテニスコートＣＴ１１（以下、単に「コートＣＴ１１」ともいう）を照明する照明装置として用いられる。図３は、実施形態１に係るテニスコート用照明装置の設置の一例を示す図である。図３の例では、支柱ＰＬ１１の先端部に取り付けられることによりテニスコート用照明装置１００がコートＣＴ１１を含むテニス場に設置された場合を示す。なお、以下では、図３のように、テニスコート用照明装置１００がコートＣＴ１１を含むテニス場に設置された場合を基に説明する。
【００１８】
図１及び図２に示すように、テニスコート用照明装置１００は、第１基部１０１と、第２基部１０２とを有する。例えば、第１基部１０１と第２基部１０２とは一体に形成される。例えば、第１基部１０１と第２基部１０２とは、連結部材等により連結されてもよい。また、第１基部１０１には、第１発光部１１０が設けられる。また、第２基部１０２には、第２発光部１２０が設けられる。例えば、第１基部１０１と第２基部１０２とは、第１発光部１１０の光取出面１１１と第２発光部１２０の光取出面１２１とが交差するように、第１基部１０１に対して第２基部１０２を傾斜させて連結される。例えば、第１基部１０１と第２基部１０２とは、第１発光部１１０の光取出面１１１に直交する直線と第２発光部１２０の光取出面１２１に直交する直線とが、光取出面１１１の反対面側で交差するように、第１基部１０１に対して第２基部１０２を傾斜させて連結される。例えば、第１基部１０１と第２基部１０２とは、第１発光部１１０の光取出面１１１に直交する直線と第２発光部１２０の光取出面１２１に直交する直線とが、光取出面１２１の反対面側で交差するように、第１基部１０１に対して第２基部１０２を傾斜させて連結される。
【００１９】
第１発光部１１０は、白色光を照射する。図１及び図２では、第１発光部１１０は、ＬＥＤ（Light  Emitting  Diode）等の発光素子を有する。図２では、第１発光部１１０が配置される第１基部１０１側が、支柱ＰＬ１１に取り付けられる。具体的には、第１発光部１１０は、コートＣＴ１１の面（地面）へ光取出面１１１を向けて配置される。以下、コートＣＴ１１の面に交差する方向を「第１方向」ともいう。例えば、第１方向は、コートＣＴ１１の面に直交する方向であってもよい。
【００２０】
これにより、図２に示す例では、第１発光部１１０の光取出面１１１から放射される光がコートＣＴ１１の面へ向かうため、テニスコート用照明装置１００は、コートＣＴ１１の面への光を確保することができる。具体的には、図２に示す仮想的な光線ＬＲ１１、ＬＲ１２のように、テニスコート用照明装置１００において、第１発光部１１０からの光がコートＣＴ１１の面へ向かうため、ボールＢＬ１１のようなコートＣＴ１１の面付近に位置するボールが見えにくくなることが抑制できる。
【００２１】
また、第２発光部１２０は、白色光を照射する。例えば、第２発光部１２０は、ＬＥＤ等の発光素子を有する。図２では、第２発光部１２０は、第１発光部１１０における所定のテニスコート側の一端部１１２に配置される。また、第２発光部１２０は、第１発光部１１０の光取出面１１１よりも光取出面１２１を傾斜させて配置される。例えば、第１発光部１１０の光取出面１１１と第２発光部１２０の光取出面１２１とが交差するように、第１発光部１１０に対して第２発光部１２０を傾斜させて配置される。例えば、第１発光部１１０と第２発光部１２０とは、第１発光部１１０の光取出面１１１に直交する直線と第２発光部１２０の光取出面１２１に直交する直線とが、光取出面１１１の反対面側で交差するように、第１発光部１１０に対して第２発光部１２０を傾斜させて配置される。例えば、第１発光部１１０の光取出面１１１に直交する直線と第２発光部１２０の光取出面１２１に直交する直線とが、光取出面１２１の反対面側で交差するように、第１発光部１１０に対して第２発光部１２０を傾斜させて配置される。例えば、第２発光部１２０は、コートＣＴ１１に対して光取出面１２１を傾斜させて配置される。具体的には、第２発光部１２０は、コートＣＴ１１側へ臨むように光取出面１２１を傾斜させて配置される。
【００２２】
これにより、図２に示す例では、第２発光部１２０の光取出面１２１から放射される光がコートＣＴ１１の水平面に沿う方向（以下、「第２方向」ともいう）へも向かうため、テニスコート用照明装置１００は、コートＣＴ１１に交差する面（以下、「鉛直面」ともいう）への光を確保することができる。言い換えると、第２発光部１２０の光取出面１２１から放射される光がコートＣＴ１１の中央部に位置するネット上等へも向かうため、テニスコート用照明装置１００は、コートＣＴ１１の鉛直面への光を確保することができる。具体的には、図２に示す仮想的な光線ＬＲ１４のように、テニスコート用照明装置１００において、第２発光部１２０からの光がコートＣＴ１１の第２方向へも向かうため、ボールＢＬ１２のようなコートＣＴ１１上を高く飛び交うボールが見えにくくなることが抑制できる。また、図２に示す仮想的な光線ＬＲ１３のように、テニスコート用照明装置１００において、第２発光部１２０からの光がコートＣＴ１１の面へ向かうため、発光部を分割したことにより、ボールＢＬ１１のようなコートＣＴ１１の面付近に位置するボールが見えにくくなることが抑制できる。
【００２３】
ここで、図１１及び図１２に示す従来に係るテニスコート用照明装置５００を用いて、従来のテニスコート用照明装置の構成例を示す。図１１及び図１２は、従来のテニスコート用照明装置の概略を示す図である。
【００２４】
図１１及び図１２に示すように、テニスコート用照明装置５００は、発光部５１０を有する。発光部５１０は、白色光を照射する。図１１及び図１２では、発光部５１０は、ＬＥＤ等の発光素子を有する。図１２では、テニスコート用照明装置５００は、支柱ＰＬ５１の先端部に取り付けられる。また、図１２では、発光部５１０は、コートＣＴ１１の面へ光取出面５１１を向けて配置される。
【００２５】
このように、図１２に示す従来の例では、発光部５１０の光取出面５１１から放射される光がコートＣＴ１１の面へ向かうため、テニスコート用照明装置５００は、コートＣＴ１１の面への光を確保することができる。具体的には、図１２に示す仮想的な光線ＬＲ５１、ＬＲ５２、ＬＲ５３のように、テニスコート用照明装置５００において、発光部５１０からの光がコートＣＴ１１の面へ向かうため、ボールＢＬ５１のようなコートＣＴ１１の面付近に位置するボールが見えにくくなることが抑制できる。
【００２６】
しかしながら、図１２に示す仮想的な光線ＬＲ５４のように、テニスコート用照明装置５００において、発光部５１０からコートＣＴ１１の第２方向へ向かう光が少ないため、ボールＢＬ５２のようなコートＣＴ１１上を高く飛び交うボールが見えにくくなる。このような従来のテニスコート用照明装置５００のように、水平面への光（照度）にのみ注目して設計すると、コート面よりも高い方向である第２方向の照度が疎かになってしまい、頻繁に高く飛び交うテニスボールが見えにくくなる可能性がある。
【００２７】
一方、上述したように、実施形態１に係るテニスコート用照明装置１００では、図２に示すように、第２発光部１２０の光取出面１２１から放射される光がコートＣＴ１１の第２方向へも向かうため、コートＣＴ１１の面に沿う方向への光を確保することができる。そのため、実施形態１に係るテニスコート用照明装置１００は、従来のテニスコート用照明装置５００に比べて、ボールＢＬ１２のようなコートＣＴ１１上を高く飛び交うボールが見えにくくなることが抑制できる。
【００２８】
上述のように、テニスコート用照明装置１００は、発光面を二分割して、一方を水平面用の発光部（第１発光部１１０）、もう一方を鉛直面用の発光部（第２発光部１２０）とする。このように、各発光部（第１発光部１１０、第２発光部１２０）の機能を分けることにより、テニスコート用照明装置１００は、ＪＩＳ（例えば、ＪＩＳ  Ｚ９１２７）推奨の水平面照度を確保しつつ、高さ方向に上がったボールも適切に見える照明環境を実現することが可能になる。
【００２９】
［テニスコート用照明装置の構成例］
次に、図４を用いて、実施形態１に係るテニスコート用照明装置１００の構成について説明する。図４は、実施形態１に係るテニスコート用照明装置の構成を示すブロック図である。図４に示すように、テニスコート用照明装置１００は、第１発光部１１０と、第２発光部１２０と、制御部１３０と、電源部１４０とを有する。
【００３０】
なお、テニスコート用照明装置１００は、ＮＩＣ（Network  Interface  Card）によって実現され、図示しない所定のネットワークを介して外部装置と通信する通信部を有してもよい。また、テニスコート用照明装置１００は、ＲＡＭ、フラッシュメモリ等の半導体メモリ素子、または、ハードディスク、光ディスク等の記憶装置によって実現され、照明装置の制御に用いられる所定の情報を記憶する記憶部を有してもよい。
【００３１】
第１発光部１１０は、白色光を照射する。例えば、第１発光部１１０は、ＬＥＤ等の発光素子を有する。例えば、第１発光部１１０は、白色の光を発光する発光素子を有してもよい。また、例えば、第１発光部１１０は、複数の色の光を発光する複数種類の発光素子を有してもよい。
【００３２】
第１発光部１１０は、所定のテニスコートに対応する水平面に光取出面１１１を向けて配置される。図３の例では、第１発光部１１０は、コートＣＴ１１に対応する水平面に光取出面１１１を向けて配置される。
【００３３】
例えば、第１発光部１１０は、所定のテニスコートに対応する色の光を放射する第１発光素子１１（図５参照）を有してもよい。例えば、第１発光部１１０は、テニスコートがクレイコートである場合、クレイ（土）に対応する色の光を放射する第１発光素子１１を有してもよい。例えば、第１発光部１１０は、テニスコートが人工芝である場合、人工芝に対応する色の光を放射する第１発光素子１１を有してもよい。このように、第１発光部１１０は、テニスコートの種類に対応した色の光を放射する第１発光素子１１を有してもよい。例えば、第１発光部１１０は、テニスコートが青色の面である場合、青色の光を放射する第１発光素子１１を有してもよい。また、例えば、第１発光部１１０は、白色の光を放射する発光素子を有してもよい。例えば、第１発光部１１０は、所定のテニスコートに対応する色の光を放射する第１発光素子１１と白色光を放射する他の発光素子とを有してもよい。
【００３４】
図３の例では、第１発光部１１０は、コートＣＴ１１に対応する色の光を放射する第１発光素子１１を有してもよい。例えば、第１発光部１１０は、コートを視認しやくすなる色の光を放射する第１発光素子１１を有してもよい。例えば、第１発光部１１０は、コートが反射しやすい色の光を放射する第１発光素子１１を有してもよい。例えば、第１発光部１１０は、コートの反射率が高い色の光を放射する第１発光素子１１を有してもよい。図１０に示す相対反射率のコートの場合、第１発光部１１０は、５２０ｎｍの波長の光を放射する第１発光素子１１を有してもよい。
【００３５】
第２発光部１２０は、白色光を照射する。例えば、第２発光部１２０は、ＬＥＤ等の発光素子を有する。例えば、第２発光部１２０は、白色の光を発光する発光素子を有してもよい。また、例えば、第２発光部１２０は、複数の色の光を発光する複数種類の発光素子を有してもよい。
【００３６】
第２発光部１２０は、所定のテニスコート側へ臨むように光取出面１２１を傾斜させて配置される。図３の例では、第２発光部１２０は、コートＣＴ１１側へ臨むように光取出面１２１を傾斜させて配置される。また、第２発光部１２０は、第１発光部１１０における所定のテニスコート側の一端部１１２に配置される。図３の例では、第２発光部１２０は、第１発光部１１０におけるコートＣＴ１１側の一端部１１２に配置される。
【００３７】
例えば、第２発光部１２０は、緑色の光を放射する第２発光素子１２（図５参照）を有してもよい。また、例えば、第２発光部１２０は、白色の光を放射する発光素子を有してもよい。例えば、第２発光部１２０は緑色の光を放射する第２発光素子１２と白色光を放射する他の発光素子とを有してもよい。例えば、第２発光部１２０は、ピーク波長が約５２０ｎｍであってもよい。
【００３８】
例えば、第２発光部１２０は、ボールを視認しやくすなる色の光を放射する第２発光素子１２を有してもよい。例えば、第２発光部１２０は、ボールが反射しやすい色の光を放射する第２発光素子１２を有してもよい。例えば、第２発光部１２０は、ボールの反射率が高い色の光を放射する第２発光素子１２１１を有してもよい。図９に示す相対反射率のボールの場合、第２発光部１２０は、５２０ｎｍの波長の光を放射する第２発光素子１２を有してもよい。図２の例では、第２発光部１２０は、ボールＢＬ１２に対応する色の光を放射する第２発光素子１２を有してもよい。例えば、第１発光部１１０と第２発光部１２０とは、異なる色の光を放射してもよい。
【００３９】
制御部１３０は、テニスコート用照明装置１００に関する種々の制御を行う。例えば、制御部１３０は、各種の処理手順などを規定したプログラム及び所要データを格納するための内部メモリを有し、これらによって種々の処理を実行することにより、テニスコート用照明装置１００に関する種々の制御を行ってもよい。
【００４０】
例えば、制御部１３０は、第１発光部１１０の光出力を制御する。また、例えば、制御部１３０は、第２発光部１２０の光出力を制御する。例えば、制御部１３０は、二分割にされた発光部の光量を独立して制御する。例えば、制御部１３０は、第１発光部１１０及び第２発光部１２０の光量を独立して制御する。
【００４１】
電源部１４０は、制御部１３０に電気を供給する。例えば、電源部１４０は、制御部１３０や第１発光部１１０や第２発光部１２０へ電力を供給する。なお、電源部１４０は、制御部１３０を介さずに直接第１発光部１１０や第２発光部１２０へ電力を供給してもよい。
【００４２】
［実施形態２］
実施形態１に係るテニスコート用照明装置１００においては、発光部を分割した態様を示したが、テニスコート用照明装置は発光部を分割することなく、鉛直面への光を確保してもよい。この点について、図５〜図１０を用いて説明する。
【００４３】
まず、本発明の実施形態２に係るテニスコート用照明装置２００を図面に基づいて説明する。図５及び図６は、実施形態２に係るテニスコート用照明装置の概略を示す図である。具体的には、図５は、光取出面２１１側からの平面視したテニスコート用照明装置２００を示す図である。また、具体的には、図６は、テニスコート用照明装置２００の側面図である。
【００４４】
例えば、テニスコート用照明装置２００は、図７に示すように、所定のテニスコートＣＴ２１（以下、単に「コートＣＴ２１」ともいう）やテニスコートＣＴ２２（以下、単に「コートＣＴ２２」ともいう）を照明する照明装置として用いられる。図７は、実施形態２に係るテニスコート用照明装置の設置の一例を示す図である。図７の例では、支柱ＰＬ２１の先端部に取り付けられることによりテニスコート用照明装置２００がコートＣＴ２１やコートＣＴ２２を含むテニス場に設置された場合を示す。なお、以下では、図７のように、テニスコート用照明装置２００がコートＣＴ２１やコートＣＴ２２を含むテニス場に設置された場合を基に説明する。図７の例では、複数のテニスコート用照明装置２００がコートＣＴ２１やコートＣＴ２２を囲むように設置される。
【００４５】
図５及び図６に示すように、テニスコート用照明装置２００は、基部２０１を有する。また、基部２０１には、発光部２１０が設けられる。
【００４６】
発光部２１０は、白色光を照射する。図５及び図６では、発光部２１０は、ＬＥＤ等の発光素子を有する。例えば、発光部２１０は、所定の光を放射する第１発光素子１１及び緑色の光を放射する第２発光素子１２を有する。第１発光素子１１は、白色光を放射する。第２発光素子１２は、ピーク波長が約５２０ｎｍである光を放射する。図６では、発光部２１０が配置される基部２０１側が、支柱ＰＬ２１に取り付けられる。具体的には、発光部２１０は、コートＣＴ２１の面やコートＣＴ２２の面へ光取出面２１１を向けて配置される。発光部２１０は、コートＣＴ２１の面やコートＣＴ２２の面に交差する方向（第１方向）に光取出面２１１を向けて配置される。
【００４７】
これにより、図６に示す例では、発光部２１０の光取出面２１１から放射される光がコートＣＴ２１の面やコートＣＴ２２の面へ向かうため、テニスコート用照明装置２００は、コートＣＴ２１の面やコートＣＴ２２の面への光を確保することができる。具体的には、図６に示す仮想的な光線ＬＲ２１、ＬＲ２２のように、テニスコート用照明装置２００において、発光部２１０からの光がコートＣＴ２１の面やコートＣＴ２２の面へ向かうため、ボールＢＬ２１のようなコートＣＴ２１の面やコートＣＴ２２の面付近に位置するボールが見えにくくなることが抑制できる。
【００４８】
ここで、図９及び図１０を用いて、テニスコートにおける各照射対象の相対反射率について説明する。図９は、テニスボールの相対反射率の一例を示す図である。図１０は、テニスコートの相対反射率の一例を示す図である。
【００４９】
図９に示すように、テニスボールは、５２０ｎｍ付近の光を最も反射する照射対象である。図６の例では、ボールＢＬ２１やボールＢＬ２２は、５２０ｎｍ付近の光、すなわち、緑色の光を最も反射する照射対象である。例えば、ボールＢＬ２１やボールＢＬ２２は、緑色の光を照射することにより視認性が増大する対象である。一方、図１０に示すように、テニスコートは、５２０ｎｍ付近がピークではあり、全体的に均一な反射率となる照射対象である。図７に示す、コートＣＴ２１やコートＣＴ２２は、緑色の光を最も反射しつつ、全体的に一様に光を反射する照射対象である。
【００５０】
また、上述したように、テニスコート用照明装置２００においては、発光部２１０がピーク波長が約５２０ｎｍ、すなわち緑色の光を放射する第２発光素子１２を有するため、発光部２１０からコートＣＴ２１の面やコートＣＴ２２の面に沿う方向（第２方向）へ向かう光が少ない場合であっても、第２方向に位置するテニスボールの視認性の低下を抑制することができる。言い換えると、テニスコート用照明装置２００は、ボールＢＬ２２のテニスボールを視認しやすくする緑色の光を放射するため、ボールＢＬ２２のようなコートＣＴ２１やコートＣＴ２２上を高く飛び交うボールが見えにくくなることが抑制できる。例えば、図７に示すコートＣＴ２１やコートＣＴ２２の中央に位置するネット付近に設置されたテニスコート用照明装置２００により、コートＣＴ２１やコートＣＴ２２のネット上を飛び交うボールが見えにくくなることが抑制できる。例えば、図６に示す仮想的な光線ＬＲ２３、ＬＲ２４のように、テニスコート用照明装置１００において、第２発光部１２０からコートＣＴ２１やコートＣＴ２２の第２方向へも向かうため、コートＣＴ２１やコートＣＴ２２のネット上を飛び交うボールが見えにくくなることが抑制できる。
【００５１】
上述のように、テニスコート用照明装置２００は、白色ＬＥＤ（第１発光素子１１）に加えてピーク波長が５２０ｎｍ（例えば、半値全幅２０ｎｍ）の単色ＬＥＤ（第２発光素子１２）を付加する。図９及び図１０に示すように、一般的にテニスで使用されるボールやコートの分光反射率のピークが約５２０ｎｍとなっているため、ピーク波長を５２０ｎｍの第２発光素子１２を用いることにより、テニスコート用照明装置２００は、テニスコートにおけるボールの視認性の低下を抑制することができる。このように、テニスコート用照明装置２００は、白色ＬＥＤに黄緑色系のＬＥＤを付加することにより、ＪＩＳ推奨の水平面照度を確保しつつ、高さ方向に上がったボールも適切に見える照明環境を実現することが可能になる。したがって、テニスコート用照明装置２００は、快適に競技ができるテニス照明環境が実現できる。なお、上記の説明では付加する単色ＬＥＤの波長を５２０ｎｍとしたが、ピーク波長は緑色系（およそ５００ｎｍ〜５７０ｎｍ）であればよく、半値全幅も５０ｎｍ以下であれば２０ｎｍ以外であってもよい。
【００５２】
［テニスコート用照明装置の構成例］
次に、図８を用いて、実施形態２に係るテニスコート用照明装置２００の構成について説明する。図８は、実施形態２に係るテニスコート用照明装置の構成を示すブロック図である。図８に示すように、テニスコート用照明装置２００は、発光部２１０と、制御部２３０と、電源部２４０とを有する。
【００５３】
なお、テニスコート用照明装置２００は、ＮＩＣ（Network  Interface  Card）によって実現され、図示しない所定のネットワークを介して外部装置と通信する通信部を有してもよい。また、テニスコート用照明装置２００は、ＲＡＭ、フラッシュメモリ等の半導体メモリ素子、または、ハードディスク、光ディスク等の記憶装置によって実現され、照明装置の制御に用いられる所定の情報を記憶する記憶部を有してもよい。
【００５４】
発光部２１０は、白色光を照射する。例えば、発光部２１０は、ＬＥＤ等の発光素子を有する。例えば、発光部２１０は、所定の光を放射する第１発光素子１１及び緑色の光を放射する第２発光素子１２を有する。第１発光素子１１は、白色光を放射する。第２発光素子１２は、ピーク波長が約５２０ｎｍである光を放射する。なお、第１発光素子１１が所定のテニスコートに対応する色の光を放射する場合、発光部２１０は、白色光を照射する他の発光素子を有してもよい。また、例えば、発光部２１０は、複数の色の光を発光する複数種類の発光素子を有してもよい。
【００５５】
発光部２１０は、所定のテニスコートに対応する水平面に光取出面２１１を向けて配置される。図７の例では、発光部２１０は、コートＣＴ２１やコートＣＴ２２に対応する水平面に光取出面２１１を向けて配置される。
【００５６】
制御部２３０は、テニスコート用照明装置２００に関する種々の制御を行う。例えば、制御部２３０は、各種の処理手順などを規定したプログラム及び所要データを格納するための内部メモリを有し、これらによって種々の処理を実行することにより、テニスコート用照明装置２００に関する種々の制御を行ってもよい。
【００５７】
例えば、制御部２３０は、発光部２１０の光出力を制御する。例えば、制御部２３０は、発光部２１０の光量を制御する。
【００５８】
電源部２４０は、制御部２３０に電気を供給する。例えば、電源部２４０は、制御部２３０や発光部２１０へ電力を供給する。なお、電源部２４０は、制御部２３０を介さずに直接発光部２１０へ電力を供給してもよい。
【００５９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。また、これらの実施形態やその変形は、処理内容を矛盾させない範囲で適宜組み合わせることが可能である。
【００６０】
実施形態１に係るテニスコート用照明装置１００及び実施形態２に係るテニスコート用照明装置２００を組み合わせた態様のテニスコート用照明装置であってもよい。例えば、テニスコート用照明装置２００において、発光部２１０は、所定のテニスコートに対応する水平面に光取出面１１１を向けて配置される第１発光部１１０と、所定のテニスコート側へ臨むように光取出面１２１を傾斜させて配置される第２発光部１２０とを有してもよい。テニスコート用照明装置２００の発光部２１０は、第１発光部１１０及び第２発光部１２０に二分割されてもよい。この場合、テニスコート用照明装置２００の発光部２１０のうち、第１発光部１１０は、第１発光素子１１が白色の光を放射するＬＥＤであり、第２発光素子１２がコートに対応する色を放射するＬＥＤであってもよい。また、テニスコート用照明装置２００の発光部２１０のうち、第２発光部１２０は、第１発光素子１１が白色の光を放射するＬＥＤであり、第２発光素子１２がボールに対応する色を放射するＬＥＤであってもよい。
【符号の説明】
【００６１】
１００  テニスコート用照明装置
１１０  第１発光部
１２０  第２発光部
１３０  制御部
１４０  電源部
【図１】
2018163803.tif 000003
【図２】
2018163803.tif 000004
【図３】
2018163803.tif 000005
【図４】
2018163803.tif 000006
【図５】
2018163803.tif 000007
【図６】
2018163803.tif 000008
【図７】
2018163803.tif 000009
【図８】
2018163803.tif 000010
【図９】
2018163803.tif 000011
【図１０】
2018163803.tif 000012
【図１１】
2018163803.tif 000013
【図１２】
2018163803.tif 000014